【手続補正書】
【提出日】平成23年9月26日(2011.9.26)
【手続補正１】
【補正対象書類名】明細書
【補正対象項目名】００７５
【補正方法】変更
【補正の内容】
【００７５】
以上、本発明をその特定の好ましい実施態様を参照して詳細に説明してきたが、本発明の精神および範囲内において変形および修正をもたらすことが可能であることが理解されるであろう。
＜補遺＞
実施の形態は、以下のような側面を含んでいる。
（１）
媒体に作像するための方法であって、
基板および前記媒体を層状構成で支持するための支持体を提供するステップと、
作像ヘッドを作動し、前記作像ヘッドと前記支持体の間に相対的な移動をもたらす間に前記作像される媒体の表面に向けて照射ビームを指向することによって前記媒体に作像するステップと、
回転軸周りに回転可能なローラを前記作像された媒体に接触させるステップと、
前記ローラの前記回転軸と前記支持体との間に相対的な移動をもたらし、前記作像された媒体の前記表面の前記照射ビームが入射した領域上において前記ローラの転がりを生じさせるステップと、
前記作像された媒体の前記表面の前記照射ビームが入射した前記領域上で前記ローラを転がした後に前記基板から前記作像された媒体を除去するステップと、
を含む、媒体に作像するための方法。
（２）
前記基板から前記作像された媒体が除去された後に、さらに前記方法が、追加の媒体および前記基板を前記支持体上において支持するステップと、前記作像ヘッドと前記支持体の間に相対的な移動をもたらす間に前記追加の媒体に作像するステップと、前記ローラの前記回転軸と前記支持体の間に相対的な移動をもたらす間に前記作像された追加の媒体を前記基板から除去するステップと、を含む（１）に記載の方法。
（３）
前記ローラは、前記作像された媒体の前記表面の非作像領域に接触させられ、前記非作像領域は、前記作像された媒体の前記表面の前記照射ビームが入射しなかった領域に対応する、（１）に記載の方法。
（４）
前記非作像領域は、前記媒体の縁部分を含み、前記ローラの前記回転軸と前記支持体の間に前記相対的な移動をもたらすステップは、前記縁部分から離れる側に導く方向に沿って前記作像された媒体の前記表面上における前記ローラの転がりを生じさせる、（３）に記載の方法。
（５）
前記ローラは遊びローラである、（１）に記載の方法。
（６）
前記作像された媒体を前記基板から除去するステップは、前記作像された媒体を前記基板から剥離するステップを含む、（１）に記載の方法。
（７）
前記ローラの前記回転軸と前記支持体の間に追加の相対的な移動をもたらし、前記基板から前記作像された媒体を剥離する間に前記作像された媒体の前記表面の部分の上における前記ローラの転がりを生じさせるステップを含む、（６）に記載の方法。
（８）
前記作像された媒体を前記基板から剥離する間に前記作像された媒体の部分を前記ローラの円筒表面の部分の上に巻き付けるステップを含む、（６）に記載の方法。
（９）
前記作像された媒体の前記表面上において転がるよう構成された接触ローラを提供するステップを含み、さらに前記方法は、前記作像された媒体を前記基板から剥離する間に前記作像された媒体の一部を前記接触ローラの円筒表面の部分の上に巻き付けるステップを含む、（６）に記載の方法。
（１０）
巻き取りローラを提供するステップを含み、前記巻き取りローラは、前記媒体の前記表面上において転がされない間に前記作像された媒体の部分を巻き取るように構成され、さらに前記方法は、前記基板から前記作像された媒体を除去する間に前記巻き取りローラ上に、前記作像された媒体の前記部分を巻き取るステップを含む、（１）に記載の方法。
（１１）
前記ローラの前記回転軸と前記支持体の間に前記相対的な移動をもたらし、前記作像された媒体の前記表面の前記照射ビームが入射した前記領域上において転がり方向に沿って前記ローラの転がりを生じさせるステップ、および前記接触ローラと前記支持体の間に相対的な移動をもたらし、前記基板から前記作像された媒体を剥離する間に前記作像された媒体の前記表面の部分の上において剥離方向に沿って前記接触ローラの転がりを生じさせるステップを含み、前記剥離方向は、前記転がり方向と実質的に平行である、（９）に記載の方法。
（１２）
前記転がり方向と前記剥離方向とは反対の方向である、（１１）に記載の方法。
（１３）
前記作像ヘッドが、走査方向に沿って前記作像される媒体の前記表面にわたって前記照射ビームを走査することによって前記媒体に作像するよう作動され、さらに前記方法は、前記ローラの前記回転軸と前記支持体の間に前記相対的な移動をもたらし、前記作像された媒体の前記表面の前記照射ビームが入射した前記領域上において、前記走査方向と実質的に平行な転がり方向に沿って前記ローラの転がりを生じさせるステップを含む、（１）に記載の方法。
（１４）
前記媒体に作像する間に前記支持体および前記作像ヘッドのうちの１つを移送方向に沿って移動するステップを含み、前記ローラの前記回転軸と前記支持体の間に前記相対的な移動をもたらすステップは、前記被媒体の前記表面の前記照射ビームが入射した前記領域上において、前記移送方向と実質的に平行な転がり方向に沿って前記ローラの転がりを生じさせる、（１）に記載の方法。
（１５）
前記作像された媒体の前記表面の部分の上で前記ローラを転がす間に、前記ローラに抗力を選択的に印加するステップを含む、（１）に記載の方法。
（１６）
前記作像された媒体の前記表面の部分の上で前記ローラを転がす間に、前記ローラに抗力を選択的に印加するよう構成されたブレーキを提供するステップを含む、（１）に記載の方法。
（１７）
前記ブレーキは、磁性粒子ブレーキおよびヒステリシス・ブレーキのうちの１つである、（１６）に記載の方法。
（１８）
前記媒体はドナー要素であり、さらに前記方法は、前記作像ヘッドを作動して前記照射ビームを前記ドナー要素に向かって指向させて前記ドナー要素から前記基板にドナー材料を転写して前記基板上にストライプ特徴を形成するステップを含み、前記ストライプ特徴は、前記ローラの前記回転軸と前記支持体の間に前記相対的な移動をもたらして前記媒体の前記表面の前記照射ビームによる入射のある前記領域上において前記ローラの転がりを生じさせる間に前記作像された媒体の前記表面上で前記ローラが転がされる方向と実質的に平行な方向に沿って延びる、（１）に記載の方法。
（１９）
前記基板から前記作像された媒体を除去した後に前記支持体から前記基板を除去するステップを含む、（１）に記載の方法。
（２０）
媒体に作像するための方法であって、
基板および前記媒体を層状構成で支持するための支持体を提供するステップと、
作像ヘッドを作動し、前記媒体および前記基板が前記層状構成にある間に前記媒体に向けて照射ビームを放射させて前記媒体に作像するステップと、
前記作像された媒体の表面にローラを接触させるステップと、
前記作像された媒体の前記表面上で前記ローラを転がす間に、前記ローラに抗力を選択的に印加するステップと、
前記基板から前記作像された媒体を除去するステップと、
を含む媒体に作像するための方法。
（２１）
前記作像された媒体の前記表面上において前記ローラを転がす間に前記ローラに回転性の抗力を選択的に印加するステップを含む、（２０）に記載の方法。
（２２）
前記ローラと機能的に接続されるブレーキを提供するステップを含み、前記ブレーキは、前記作像された媒体の前記表面上において前記ローラを転がす間に前記ローラに前記抗力を選択的に印加するよう構成される、（２０）に記載の方法。
（２３）
前記作像された媒体の前記表面上において前記ローラを転がす間に前記ローラに前記抗力を選択的に印加させるべくアクチュエータを選択的に作動するステップを含む、（２０）に記載の方法。
（２４）
前記基板から前記作像された媒体を除去するステップは、前記基板から前記作像された媒体を剥離するステップを含む、（２０）に記載の方法。
（２５）
前記基板から前記作像された媒体を除去する間に前記作像された媒体の前記表面上において前記ローラを転がすステップを含む、（２０）に記載の方法。
（２６）
前記作像された媒体の前記表面上で前記ローラを転がした後に前記基板から前記作像された媒体を剥離するステップを含む、（２４）に記載の方法。
（２７）
前記作像された媒体の前記表面上の複数の異なる方向に沿って前記ローラを転がすステップ、および前記表面上で前記ローラが転がされるときに前記ローラに異なる抗力の量を選択的に印加するステップを含む、（２０）に記載の方法。
（２８）
前記作像された媒体および前記基板を前記層状構成に維持する間に前記作像された媒体の前記表面上において前記ローラを転がすステップ、および前記基板から前記媒体を剥離する間に前記作像された媒体の前記表面上において前記ローラを転がすステップを含む、（２４）に記載の方法。
（２９）
前記作像された媒体の前記表面上において前記ローラを転がす間に前記ローラに抗力を選択的に印加するステップは、前記作像された媒体および前記基板を前記層状構成に維持する間に前記ローラが前記作像された媒体の前記表面上を転がるとき、前記基板から前記作像された媒体を剥離する間に前記作像された媒体の前記表面上において前記ローラが転がる間とは異なる抗力の量を前記ローラに印加するステップを含む、（２８）に記載の方法。
（３０）
前記作像された媒体の前記表面上において前記ローラを転がす間に前記ローラに抗力を選択的に印加するステップは、前記作像された媒体および前記基板を前記層状構成に維持する間に前記ローラが前記作像された媒体の前記表面上を転がるときに、前記基板から前記作像された媒体を剥離する間に前記作像された媒体の前記表面上において前記ローラが転がる間よりも大きい抗力の量を前記ローラに印加するステップを含む、（２８）に記載の方法。
（３１）
前記作像された媒体の前記表面上において転がるよう構成された接触ローラを提供するステップを含み、さらに前記方法は、前記作像された媒体を前記基板から剥離する間に前記作像された媒体の部分を前記接触ローラの表面の部分の上に巻き付けるステップを含む、（２４）に記載の方法。
（３２）
巻き取りローラを提供するステップを含み、前記巻き取りローラは、前記作像された媒体の前記表面上において転がされない間に前記作像された媒体の部分を巻き取るよう構成され、さらに前記方法は、前記基板から前記作像された媒体を剥離する間に前記巻き取りローラ上に前記作像された媒体の前記部分を巻き取るステップを含む、（２４）に記載の方法。
（３３）
熱転写プロセスを用いて前記媒体に作像するステップを含む（２０）に記載の方法。
（３４）
前記ローラが遊びローラである（２０）に記載の方法。
（３５）
前記基板から前記作像された媒体を除去した後に前記支持体から前記基板を除去するステップを含む、（２０）に記載の方法。
（３６）
ドナー要素に作像するための方法であって、
支持体上に基板を支持するステップと、
前記支持体上に前記基板を支持した後に前記基板上に前記ドナー要素を位置決めするステップと、
作像ヘッドを作動し、前記ドナー要素に向けて照射ビームを指向することによって前記ドナー要素に作像するステップと、
回転軸周りに回転可能なローラを前記作像されたドナー要素の表面に接触させるステップと、
前記ローラの前記回転軸と前記作像されたドナー要素の間に複数回の相対的な移動をもたらし、前記作像されたドナー要素の１つまたは複数の作像領域上において前記ローラの転がりを複数回にわたって生じさせるステップと、
前記ローラの前記回転軸と前記作像されたドナー要素の間の前記複数回の相対的な移動のうちのある相対的な移動の間に前記基板から前記作像されたドナー要素を除去するステップと、
前記作像されたドナー要素が前記基板から除去された後に前記支持体から前記基板を除去するステップを含み、前記基板は、前記ローラの前記回転軸と前記作像されたドナー要素の間の前記複数回の相対的な移動のうちのいずれの相対的な移動の間においても前記支持体から除去されない、
ドナー要素に作像するための方法。
（３７）
前記ローラの前記回転軸と前記作像されたドナー要素の間に前記複数回の相対的な移動をもたらすステップは、前記ローラの前記回転軸と前記支持体の間に相対的な移動をもたらすステップを含む、（３６）に記載の方法。
（３８）
前記作像されたドナー要素が前記基板から除去された後に、前記方法は、第２のドナー要素を前記基板上に位置決めするステップと、前記作像ヘッドを用いて前記第２のドナー要素に作像するステップと、前記ローラの前記回転軸と前記作像された第２のドナー要素の間に相対的な移動をもたらす間に前記基板から前記第２のドナー要素を除去するステップとを含む、（３６）に記載の方法。
（３９）
前記ローラの前記回転軸と前記作像されたドナー要素の間の前記複数回の相対的な移動のうちの２つの相対的な移動が、前記作像されたドナー要素の前記１つまたは複数の作像領域上において異なる方向に沿った前記ローラの転がりを生じさせる、（３６）に記載の方法。
（４０）
前記ローラの前記回転軸と前記作像されたドナー要素の間の前記複数回の相対的な移動のうちの２つの相対的な移動が、前記作像されたドナー要素の前記１つまたは複数の作像領域上において、互いに反対の方向に沿った前記ローラの転がりを生じさせる、（３６）に記載の方法。
（４１）
前記ローラの前記回転軸と前記作像されたドナー要素の間の前記複数回の相対的な移動のうちの１つの相対的な移動の間に前記作像されたドナー要素の前記１つまたは複数の作像領域の上においてローラが転がるとき、前記ローラに対して前記ローラの回転軸と前記作像されたドナー要素の間の前記複数回の相対的な移動のうちの別の相対的な移動の間とは異なる抗力の量を印加するステップを含む、（３６）に記載の方法。
（４２）
前記ローラの前記回転軸と前記作像されたドナー要素の間の前記複数回の相対的な移動のうちの１つの相対的な移動の間に前記作像されたドナー要素の前記１つまたは複数の作像領域の上においてローラが転がるとき、前記ローラに対して前記ローラの回転軸と前記作像されたドナー要素の間の前記複数回の相対的な移動のうちの別の相対的な移動の間より大きい抗力の量を印加するステップを含む、（３６）に記載の方法。
（４３）
前記ローラの前記回転軸と前記作像されたドナー要素の間に前記複数回の相対的な移動をもたらす間に前記ローラに抗力を選択的に印加するよう構成されたブレーキを提供するステップを含む、（３６）に記載の方法。
（４４）
前記ローラは遊びローラである、（３６）に記載の方法。
（４５）
媒体に作像するための装置であって、
基板および前記媒体を層状構成で支持するための支持体と、
前記媒体に向けて照射ビームを放射し、前記媒体に作像するよう構成された作像ヘッドと、
ローラと、
前記ローラに対して抗力を選択的に印加するよう構成されたブレーキと、
シャーシであって、それに関して前記ローラが回転可能となるように前記ローラを支持するよう構成されたシャーシと、
コントローラであって、
前記作像ヘッドを作動して前記媒体に向けて前記照射ビームを放射させ、
前記シャーシと前記支持体の間に相対的な移動をもたらし、前記作像された媒体および前記基板が前記層状構成にある間、前記ローラを前記作像された媒体の近傍に移動させ、
前記シャーシと前記支持体の間に複数回の相対的な移動をもたらし、前記作像された媒体の表面上における前記ローラの転がりを複数回にわたって生じさせ、かつ
前記ブレーキをコントロールし、前記シャーシと前記支持体の間の前記複数回の相対的な移動のうちの１つの相対的な移動と、前記シャーシと前記支持体の間の前記複数回の相対的な移動のうちの別の相対的な移動と、の間において、前記ローラに印加される前記抗力を選択的に変更するべく構成されたコントローラと、
を含む媒体に作像するための装置。
（４６）
前記作像された媒体は、前記シャーシと前記支持体の間の前記複数回の相対的な移動のうちのある相対的な移動の間に前記基板から剥離される、（４５）に記載の装置。
（４７）
巻き取りローラを提供することを含み、前記巻き取りローラは、前記作像された媒体の前記表面上において前記巻き取りローラが転がされない間に前記作像された媒体の部分を巻き取るよう構成され、かつ前記コントローラは、さらに前記巻き取りローラを作動して前記基板から前記作像された媒体を剥離する間に前記巻き取りローラ上に前記作像された媒体の部分を巻き取らせるべく構成される、（４６）に記載の装置。
（４８）
作像方法であって、
ドナー要素および基板を層状構成で配置するステップと、
照射ビームを前記ドナー要素に向かって指向させることによって前記ドナー要素に作像し、前記ドナー要素から前記基板の表面にドナー材料を転写して特徴を形成するよう構成された作像ヘッドを提供するステップと、
前記作像されたドナー要素の表面の近傍にローラを移動させるステップと、
前記基板から前記作像されたドナー要素を剥離するステップと、
前記基板から前記作像されたドナー要素を剥離する前に、前記ローラと前記作像されたドナー要素の間に相対的な移動をもたらして前記作像されたドナー要素の領域上において前記ローラを転がし、前記作像されたドナー要素が前記基板から剥離されるときに前記基板の前記表面に転写されて残る前記ドナー材料の量を調整するステップと、
を含む作像方法。
（４９）
前記ローラと前記作像されたドナー要素の間に相対的な移動をもたらして前記作像されたドナー要素の前記領域上において前記ローラを転がすステップは、前記ドナー要素が前記基板から剥離されるときに前記特徴の縁に沿った前記縁の不連続を低減する、（４８）に記載の作像方法。
（５０）
前記作像されたドナー要素の前記領域上において前記ローラが転がされるときに前記ローラに印加される抗力の量を増加し、前記作像されたドナー要素が前記基板から剥離されるときに前記基板の前記表面に転写されて残る前記ドナー材料の量を調整するよう構成されたブレーキを提供するステップを含む、（４８）に記載の作像方法。
（５１）
作像方法であって、
ドナー要素および基板を層状構成で配置するステップと、
照射ビームを前記ドナー要素に向かって指向させることによって前記ドナー要素に作像するよう構成された作像ヘッドを提供するステップと、
前記ドナー要素から前記基板の表面の上にドナー材料を転写して特徴を形成するステップと、
前記作像されたドナー要素の表面の近傍にローラを移動させるステップと、
前記基板から前記作像されたドナー要素を剥離するステップと、
前記基板から前記作像されたドナー要素を剥離する前に、前記ローラと前記作像されたドナー要素の間に相対的な移動をもたらして前記作像されたドナー要素の領域上において前記ローラを転がし、前記作像されたドナー要素が前記基板から剥離されるときに前記基板の前記表面に転写される前記ドナー材料の量を調整するステップと、
を含む作像方法。
【手続補正２】
【補正対象書類名】特許請求の範囲
【補正対象項目名】全文
【補正方法】変更
【補正の内容】
【特許請求の範囲】
【請求項１】
媒体に作像するための方法であって、
基板および前記媒体を層状構成で支持するための支持体を提供するステップと、
作像ヘッドを作動し、前記作像ヘッドと前記支持体の間に相対的な移動をもたらす間に前記作像される媒体の表面に向けて照射ビームを指向することによって前記媒体に作像するステップと、
回転軸周りに回転可能なローラを前記作像された媒体に接触させるステップと、
前記ローラの前記回転軸と前記支持体との間に相対的な移動をもたらし、前記作像された媒体の前記表面の前記照射ビームが入射した領域上において前記ローラの転がりを生じさせるステップと、
前記作像された媒体の前記表面の前記照射ビームが入射した前記領域上で前記ローラを転がした後に前記基板から前記作像された媒体を除去するステップと、
を含む、媒体に作像するための方法。
【請求項２】
前記基板から前記作像された媒体が除去された後に、さらに前記方法が、追加の媒体および前記基板を前記支持体上において支持するステップと、前記作像ヘッドと前記支持体の間に相対的な移動をもたらす間に前記追加の媒体に作像するステップと、前記ローラの前記回転軸と前記支持体の間に相対的な移動をもたらす間に前記作像された追加の媒体を前記基板から除去するステップと、を含む請求項１に記載の方法。
【請求項３】
前記ローラは、前記作像された媒体の前記表面の非作像領域に接触させられ、前記非作像領域は、前記作像された媒体の前記表面の前記照射ビームが入射しなかった領域に対応する、請求項１に記載の方法。